(57)【要約】【課題】種々の屋外用照明器具に対して電源装置用ケースを標準化し、照明器具内に複数のＬＥＤ電源装置を効率良く配置することを可能とする。  【解決手段】電源装置用ケースは、最大平面を形成する第１の平面部、第１の平面部から垂直に屈曲した第２の平面部、第１及び第２の平面部の屈曲端部に結合され互いに対向する第３及び第４の平面部、並びに第１乃至第４の平面部によって画定される空間を閉塞して閉空間を形成する閉塞面を備える。第３の平面部は第１及び第２の張出部を有し、第４の平面部は第３及び第４の張出部を有する。第１及び第３の張出部は第１の平面部と平行な平面を成して第１の平面を挟んで互いに逆方向に張り出すように形成され、第２及び第４の張出部は第２の平面部と平行な平面を成して第２の平面を挟んで互いに逆方向に張り出すように形成され、第１乃至第４の張出部に、挿通部材を挿入可能な第１乃至第４の挿通部がそれぞれ形成される。【選択図】図３
2014056648.tif 000002
【特許請求の範囲】
【請求項１】
閉空間を有する電源装置用ケースであって、前記閉空間の長手方向をｘ軸、ｘ軸に対して垂直な方向をｙ軸、ｘ軸及びｙ軸に対して垂直な方向をｚ軸として、ｘ−ｙ平面視、ｘ−ｚ平面視及びｙ−ｚ平面視のうちｘ−ｙ平面視において該閉空間の外形面積が最大である場合に、
ｘ−ｙ平面を形成する第１の平面部、
前記第１の平面部からｚ軸方向に垂直に屈曲した第２の平面部、
前記第１及び第２の平面部の両屈曲端部に結合され、互いに対向する第３及び第４の平面部、及び
前記第１乃至第４の平面部によって画定される空間を閉塞して前記閉空間を形成する閉塞面
を備え、
前記第３の平面部が第１及び第２の張出部を有し、前記第４の平面部が第３及び第４の張出部を有し、前記第１及び第３の張出部が、前記第１の平面部と平行な平面を成して該第１の平面部を挟んで互いに逆方向に張り出すように形成され、前記第２及び第４の張出部が、前記第２の平面部と平行な平面を成して該第２の平面部を挟んで互いに逆方向に張り出すように形成され、前記第１及び第２の張出部に、挿通部材を挿入可能な第１及び第２の挿通部がそれぞれ形成され、前記第３及び第４の張出部に、挿通部材を挿入可能な第３及び第４の挿通部がそれぞれ形成された電源装置用ケース。
【請求項２】
請求項１に記載の電源装置用ケースにおいて、前記閉空間のｘ軸、ｙ軸及びｚ軸方向の各寸法のうちｘ軸方向の長さが最も長く、ｚ軸方向の長さが最も短く、前記第２の平面部がｘ−ｚ平面を形成し、前記第３及び第４の平面部がｙ−ｚ平面を形成する、電源装置用ケース。
【請求項３】
請求項１又は２に記載の電源装置用ケースにおいて、前記閉空間内部から外部に配線を引き出すための配線引出し孔が前記第３の平面部に設けられた電源装置用ケース。
【請求項４】
請求項３に記載の電源装置用ケース、及び
前記閉空間内において前記電源装置用ケースの内部面に固定され、ＬＥＤ点灯回路が実装された回路基板
を備え、前記回路基板に接続された配線が前記配線引出し孔から引き出された状態で、前記電源装置用ケース内に該回路基板が密閉されたＬＥＤ電源装置。
【請求項５】
道路灯用照明器具であって、
第１及び第２のＬＥＤモジュール基板が設置された灯具部、
上端が前記灯具部に結合され、下端が地中に埋設されるポール、及び
それぞれ交流電圧が供給されて前記第１及び第２のＬＥＤモジュール基板に直流電流を供給する第１及び第２の請求項４に記載のＬＥＤ電源装置
を備え、
前記第１及び第２のＬＥＤ電源装置の各々が、前記第３の平面部が前記下端側を向くように、前記第２及び第４の挿通部に挿通された挿通部材を介して前記ポール内に並置された道路灯用照明器具。
【請求項６】
トンネル灯用照明器具であって、
第１及び第２のＬＥＤモジュール基板が設置された器具本体、及び
それぞれ交流電圧が供給されて前記第１及び第２のＬＥＤモジュール基板に直流電流を供給する第１及び第２の請求項４に記載のＬＥＤ電源装置
を備え、前記第１及び第２のＬＥＤ電源装置の各々が、前記第１及び第３の挿通部に挿通された挿通部材を介して前記器具本体の天板内面に固定されたトンネル灯用照明器具。
【発明の詳細な説明】
【技術分野】
【０００１】
本発明は電源装置用ケース、ＬＥＤ電源装置、道路灯用照明器具及びトンネル灯用照明器具に関する。
【背景技術】
【０００２】
従来から、屋外で使用される照明装置として、地面に立設されたポール先端に光源部を有する道路灯用照明器具、トンネルの内壁に取り付けられるトンネル灯用照明器具等が知られている。例えば、特許文献１は道路灯用照明器具において、灯具本体（５）の支柱となるポール（３）の収納部（４）に、ランプ点灯電力を供給する安定器が収容及び設置されることを開示する。同文献では、灯具に組み込まれる光源の１つとしてＬＥＤ光源モジュール（３６）が採用される。
【０００３】
また、特許文献２は、トンネル灯用照明器具において、薄型の箱体（３）内の２つのＬＥＤ基板（４）の間に電源装置（７）が設置される構成を開示する。また、特許文献３は、トンネル灯用照明器具において、薄型のシャーシ（３）内のＬＥＤ基板（１０）の背面側に点灯回路（１１）が設置される構成を開示する。
【先行技術文献】
【特許文献】
【０００４】
【特許文献１】特開２０１１−２１６３３４号公報
【特許文献２】特開２０１１−１３８６４０号公報
【特許文献３】特開２００５−１４２１１６号公報
【発明の概要】
【発明が解決しようとする課題】
【０００５】
ところで、直流電源を構成するＬＥＤ点灯回路は、道路灯用照明器具及びトンネル灯用照明器具に対して同じ回路構成とすることができる。しかし、種々の照明器具においてＬＥＤ点灯回路の標準化は可能なものの、ＬＥＤ点灯回路を内蔵したＬＥＤ電源装置のケース構成は、道路灯用照明器具とトンネル灯用照明器具とで、ＬＥＤ電源装置の設置位置に起因して異なるものとなっていた。
【０００６】
道路灯用照明器具においては、ＬＥＤ電源装置はポール内部に設置され、図１５の斜線部Ａで示すように、筒状のポール２０の円形断面に収まるように、ポール断面の直径付近を占有するような向きに配置される。一方、トンネル灯用照明器具においては、ＬＥＤ電源装置は器具本体内部に配置され、図１６の斜線部Ｂに示すように、扁平な器具本体３０に収まるように、或いは器具本体３０をより薄型に形成できるように、器具厚さ方向に対して低背となる向きに配置される。従って、それぞれの照明器具に特化したケースの形状や取り付け構成が採用されていた。このように、従来では、ＬＥＤ点灯回路が標準かされていてもそれを収納するケースは各照明器具に応じて個別に設計されていた。
【０００７】
また近年では、道路灯用照明器具及びトンネル灯用照明器具において、複数系統（特に２系統）のＬＥＤモジュール基板及びＬＥＤ電源装置が搭載される場合が多くなってきている。これは、仮に１系統が故障して不点灯となっても他方の系統が点灯を継続できるので、照明器具としての最低限の機能が維持されるからである。ここで、道路灯用照明器具においては、地中側端子とＬＥＤ電源装置の間の入力線及びアース線の長さ、並びにＬＥＤモジュール基板とＬＥＤ電源装置の間の出力線の長さをそれぞれ系統間で統一することが工事の作業性の観点から好ましく、ポール内で上下方向を揃えて複数のＬＥＤ電源装置を配置することが望ましい。また、トンネル灯用照明器具においては、器具本体の厚さを増大させないために、複数のＬＥＤ電源装置は、各々が低背となる向きに配置される必要がある。従って、２以上の電源装置を、それぞれの照明器具内に効率良く配置することが要求されるようになってきている。
【０００８】
そこで、本発明は、種々の屋外用照明器具に対して電源装置用ケースを標準化し、さらに、各照明器具内に２以上のＬＥＤ電源装置を効率良く配置することを可能とする電源装置用ケース及びそれを用いたＬＥＤ電源装置を提供することを課題とする。
【課題を解決するための手段】
【０００９】
本発明の電源装置用ケースは、電源装置用ケース内の閉空間の長手方向をｘ軸、ｘ軸に対して垂直な方向をｙ軸、ｘ軸及びｙ軸に対して垂直な方向をｚ軸として、ｘ−ｙ平面視、ｘ−ｚ平面視及びｙ−ｚ平面視のうちｘ−ｙ平面視において閉空間の外形面積が最大であるものとして、ｘ−ｙ平面を形成する第１の平面部、第１の平面部からｚ軸方向に垂直に屈曲した第２の平面部、第１及び第２の平面部の両屈曲端部に結合され互いに対向する第３及び第４の平面部、及び第１乃至第４の平面部によって画定される空間を閉塞して閉空間を形成する閉塞面を備える。第１及び第３の張出部は、第１の平面部と平行な平面を成して第１の平面部を挟んで互いに逆方向に張り出すように形成され、第２及び第４の張出部は、第２の平面部と平行な平面を成して第２の平面部を挟んで互いに逆方向に張り出すように形成され、第１及び第２の張出部に、挿通部材を挿入可能な第１及び第２の挿通部がそれぞれ形成され、第３及び第４の張出部に、挿通部材を挿入可能な第３及び第４の挿通部がそれぞれ形成される。
【００１０】
上記の電源装置用ケースにおいて、好ましくは、閉空間のｘ軸、ｙ軸及びｚ軸方向の各寸法のうちｘ軸方向の長さが最も長く、ｚ軸方向の長さが最も短く、第２の平面部がｘ−ｚ平面を形成し、第３及び第４の平面部がｙ−ｚ平面を形成する。
また、閉空間内部から外部に配線を引き出すための配線引出し孔が第３の平面部に設けられる。
【００１１】
本発明のＬＥＤ電源装置は、上記の電源装置用ケース、及び閉空間内において電源装置用ケースの内部面に固定され、ＬＥＤ点灯回路が実装された回路基板を備え、回路基板に接続された配線が配線引出し孔から引き出された状態で電源装置用ケース内に回路基板が密閉される。
【００１２】
本発明の道路灯用照明器具は、第１及び第２のＬＥＤモジュール基板が設置された灯具部、上端が灯具部に結合され下端が地中に埋設されるポール、及びそれぞれ交流電圧が供給されて第１及び第２のＬＥＤモジュール基板に直流電流を供給する第１及び第２の上記ＬＥＤ電源装置を備える。第１及び第２のＬＥＤ電源装置の各々が、第３の平面部が下端側を向くように、第２及び第４の挿通部に挿通された挿通部材を介してポール内に並置される。
【００１３】
本発明のトンネル灯用照明器具は、第１及び第２のＬＥＤモジュール基板が設置された器具本体、及びそれぞれ交流電圧が供給されて第１及び第２のＬＥＤモジュール基板に直流電流を供給する第１及び第２の上記ＬＥＤ電源装置を備える。第１及び第２のＬＥＤ電源装置の各々は、第１及び第３の挿通部に挿通された挿通部材を介して器具本体の天板内面に固定される。
【図面の簡単な説明】
【００１４】
【図１】本発明のＬＥＤ電源装置が搭載される道路灯用照明器具の概略図である。
【図２】本発明のＬＥＤ電源装置が搭載されるトンネル灯用照明器具の概略図である。
【図３】本発明の実施例による電源装置用ケースを示す鳥瞰図である。
【図４】図３の電源装置用ケースを他の角度から見た鳥瞰図である。
【図５】本発明の実施例によるＬＥＤ電源装置の断面図である。
【図６】本発明の実施例によるＬＥＤ電源装置の平面図である。
【図７】本発明の実施例によるＬＥＤ電源装置に実装されるＬＥＤ点灯回路の回路構成図である。
【図８】本発明のＬＥＤ電源装置の作製方法を説明する図である。
【図９】図３の電源装置用ケースが道路灯用照明器具用に配置される場合の図である。
【図１０】図３の電源装置用ケースがトンネル灯用照明器具用に配置される場合の図である。
【図１１】本発明の実施例によるＬＥＤ電源装置が道路灯用照明器具のポール内に配置される場合の図である。
【図１２】本発明の第１の変形例による電源装置用ケースを示す鳥瞰図である。
【図１３】本発明の第２の変形例による電源装置用ケースを示す断面図である。
【図１４】本発明の第２の変形例による電源装置用ケースを示す断面図である。
【図１５】一般的な道路灯用照明器具を説明する図である。
【図１６】一般的なトンネル灯用照明器具を説明する図である。
【発明を実施するための形態】
【００１５】
図１は、本発明が適用される道路灯用照明器具１の概略図である。道路灯用照明器具１は、灯具部１０、ポール２０、並びにＬＥＤ電源装置４ａ及び４ｂを備える。なお、図１に現れる外観上の構成は一般的な道路灯用照明器具と同様である。灯具部１０は、ＬＥＤチップがモジュール化された２系統のＬＥＤモジュール基板１１ａ及び１１ｂを備え、ＬＥＤモジュール基板１１ａ及び１１ｂは灯具部１０下面の透明なカバーを介して下方を照射する。ポール２０は中空の筒状を有し、上端には灯具部１０が取り付けられ、下端は地中に埋設される。ＬＥＤ電源装置４ａ及び４ｂはポール２０内に固定され、地中からの入力配線（不図示）により商用電源が給電され、ＬＥＤモジュール基板１１ａ及び１１ｂにそれぞれ出力配線（不図示）を介して直流電源を供給する。なお、灯具部１０はポール２０に対して取り外し可能である。
【００１６】
図２は、本発明が適用されるトンネル灯用照明器具３を照射面側から見た概略図である。トンネル灯用照明器具３は、ＬＥＤチップがモジュール化された２系統のＬＥＤモジュール基板３１ａ及び３１ｂが設置された器具本体３０、並びにＬＥＤ電源装置４ａ及び４ｂを備える。器具本体３０はトンネルの内壁に埋め込まれ、ＬＥＤモジュール基板３１ａ及び３１ｂが器具本体３０下面の透明なカバーを介してトンネル内を照射する。ＬＥＤ電源装置４ａ及び４ｂは器具本体３０の天板内面３２に対して固定され、トンネル壁からの入力配線（不図示）を介して商用電源が給電され、それぞれＬＥＤモジュール基板３１ａ及び３１ｂに出力配線（不図示）を介して直流電源を供給する。
【００１７】
なお、以降の説明において、後述するいずれの部材についても、２系統のうちの一方の部材の符号末尾にａを付し、他方の部材の符号末尾にｂを付し、いずれか一方を特定しない場合にはその符号の末尾にａ又はｂを付さないものとする。例えば、本実施例では、ＬＥＤ電源装置として２つのＬＥＤ電源装置４ａ及び４ｂを開示するが、これらのいずれかを特定しない場合には、ＬＥＤ電源装置はＬＥＤ電源装置４と表記される。
【００１８】
実施例．
図３は本発明の実施例によるケース４０を一方向から見た鳥瞰図であり、図４はケース４０を図３とは異なる方向から見た鳥瞰図である。図３及び図４に示すように、本実施例では、ケース４０の長手方向をｘ軸、ｘ軸に対して垂直な方向をｙ軸、ｘ軸及びｙ軸に対して垂直な短手方向をｚ軸とする。ケース４０はアルミ、ステンレス等の金属からなるものであればよい。また、以降の説明から分かるように、本実施例のＬＥＤ電源装置４は電源装置用ケース４０（以下、「ケース４０」という）及び回路基板５０を備えるものとする。
【００１９】
ケース４０は、ｘ−ｙ平面を構成する大面部４１（第１の平面部）、大面部４１からｚ軸方向に垂直に屈曲した中面部４２（第２の平面部）、大面部４１及び中面部４２のｘ軸方向両端部（即ち、屈曲端部）に結合され互いに対向する小面部４３及び４６（第３及び第４の平面部）を有する。また、ケース４０は、大面部４１、中面部４２、小面部４３及び４６によって画定される空間を閉塞して閉空間を形成する大面部４４（閉塞面）及び中面部４５（閉塞面）を有する。本実施例では、大面部４４はｘ−ｙ平面を構成し、中面部４５はｘ−ｚ平面を構成する。従って、大面部４１及び４４、中面部４２及び４５並びに小面部４３及び４６は直方体の閉空間を形成する。なお、本実施例では、閉空間の寸法について、ｘ軸方向が最も長く、ｚ軸方向が最も短い。従って、ケース４０の閉空間の外形面積は、ｘ−ｙ平面視、ｘ−ｚ平面視及びｙ−ｚ平面視のうちｘ−ｙ平面視において最大となり、ｙ−ｚ平面視において最小となる。
【００２０】
小面部４３は隣接する二辺に張出部４３１及び４３２を有し、小面部４６は隣接する二辺に張出部４６１及び４６２を有する。張出部４３１及び４６１は、大面部４１と平行な平面を成し、大面部４１を挟んで互いに逆方向（ｘ軸方向）に張り出すように形成される。本実施例では、張出部４３１及び４６１は大面部４１と同一平面を成すものとして説明する。張出部４３２及び４６２は、中面部４２と平行な平面を成し、中面部４２を挟んで互いに逆方向（ｘ軸方向）に張り出すように形成される。本実施例では、張出部４３２及び４６２は中面部４２と同一平面を成すものとして説明する。
【００２１】
張出部４３１及び４３２には、挿通部材を挿入可能な挿通部４３１Ｕ及び４３２Ｕ（図６参照）がそれぞれ形成され、張出部４６１及び４６２には、挿通部材を挿入可能な挿通部４６１Ｕ及び４６２Ｕがそれぞれ形成される。なお、本実施例では、各挿通部はＵ字型の切りかけからなるものとするが、円形又は長円形の孔からなるようにしてもよい。
【００２２】
図３に示すように、ケース４０は、挿通部４３１Ｕ及び４６１Ｕに挿通部材（ネジ、ビス等）を挿通して、大面部４１を固定面Ｐに対向させた状態で固定面Ｐに固定される。また、図４に示すように、ケース４０は、挿通部４３２Ｕ及び４６２Ｕに挿通部材（ネジ、ビス等）を挿通して、中面部４２を固定面Ｐに対向させた状態で固定面Ｐに固定することもできる。なお、各図面において、固定面Ｐを無限の平面として図示しているが、実際には固定面Ｐはポール２０又は器具本体３０内の有限の平面である。
【００２３】
小面部４３には、閉空間内部から外部に配線ケーブルを引き出すための配線引出し孔４３７及び４３８が設けられる。なお、本実施例では、配線引出し孔が２つの配線引出し孔からなるものとするが、１個又は３個以上の配線引出し孔からなるようにしてもよい。
【００２４】
図５はＬＥＤ電源装置４のｘ軸方向中央付近をｙ−ｚ平面に平行な面で切った断面図を示し、図６はＬＥＤ電源装置４のｘ−ｙ平面図を示す。図５を参照すると、ケース４０内部には、ＬＥＤ点灯回路が実装された回路基板５０が大面部４１に平行に固定される。図６を参照すると、回路基板５０に接続された配線ケーブル、即ち、入力線５１及び５２、出力線５３及び５４並びにアース線５５が、小面部４３に設けられた配線引出し孔４３７及び４３８から引き出される。商用電源が入力線５１及び５２から回路基板５０に供給され、回路基板５０からの直流電流が出力線５３及び５４を介してＬＥＤモジュール基板１１又は３１のＬＥＤに供給される。配線５５はアース線であり、地中側に接地される。なお、入力線５１及び５２と商用電源の間、出力線５３及び５４とＬＥＤモジュール基板の間、及びアース線５５と接地部との間には、中継線、中継端子台が適宜接続されるものとする。
【００２５】
ケース４０は道路灯用照明器具又はトンネル灯用照明器具といった屋外照明器具内に設置されるものであるため、湿度が高い場合又は結露が生じる場合がある。そのため、回路部品への水分の侵入を防止するためにケース４０は密閉構造とされる。また、密閉構造に起因する、回路基板５０に実装される回路部品の温度上昇の対策として、ケース４０の内部には絶縁物（樹脂）が充填され、回路の放熱設計がなされる。なお、配線引出し孔４３７及び４３８においても気密処理が施されているものとする。また、配線引出し孔４３７及び４３８は、ケース４０がポール２０の内部に取り付けられたときに下方を向くように配置されることが好ましい。従って、配線引出し孔は小面部４３又は４６のいずれか一方に配置されることが好ましい。
【００２６】
図７に、回路基板５０に実装されるＬＥＤ点灯回路の一例を示す。ＬＥＤ点灯回路５００は交流電流を直流電源に変換する降圧コンバータからなる。ＬＥＤ点灯回路５００は、入力端子Ｔ１及びＴ２、出力端子Ｔ３及びＴ４、並びにアース端子Ｅ１を有する。入力端子Ｔ１及びＴ２には、上述の入力線５１及び５２がそれぞれ接続され、出力端子Ｔ３及びＴ４には、上述の出力線５３及び５４がそれぞれ接続され、アース端子Ｅ１にはアース線５５が接続される。例えば、回路基板５０がアース端子Ｅ１の部分でネジ留め等によりケース４０の一部、例えば、大面部４１の内面に接続される。なお、本実施例では、回路基板５０が大面部４１に固定される構成を示すが、他の面に固定される構成としてもよい。
【００２７】
ＬＥＤ点灯回路５００は、フライバックコンバータからなる直流変換回路５０１、及び直流変換回路５０１からの出力ライン上のノードＮ４とアース端子Ｅ１の間に接続されるコンデンサ５０２を含む。なお、コンデンサ５０２は、トランス５１２の２次側のノードＮ３又は１次側のノードＮ１若しくはＮ２とアース端子Ｅ１の間に接続されるようにしてもよいし、入力端子Ｔ１と入力端子Ｔ２間に接続されたコンデンサの直列回路の接続点に接続されていてもよい。
【００２８】
直流変換回路５０１は、入力端子Ｔ１及びＴ２からの交流入力を直流化する。直流変換回路５０１は、ダイオードブリッジ等の整流回路５１０及び平滑コンデンサ５１１からなる整流平滑回路、トランス５１２、トランス５１２の一次巻線をスイッチングするスイッチング素子５１３、トランス５１２の二次巻線の電圧を整流平滑する整流素子５１４及び平滑コンデンサ５１５を備える。直流変換回路５０１はさらに、その安定動作のために、平滑コンデンサ５１１と平滑コンデンサ５１２を接続する結合コンデンサ５１６を含んでいてもよい。ＰＷＭ制御回路５１７はドライバＩＣ等を含み、直流変換回路５０１の出力電流が所定値となるように、スイッチング素子５１３をＰＷＭ制御する。なお、図７はオープンループの制御回路を示しているが、出力ラインに流れる電流を抵抗等により検出して電流フィードバックを行う構成としてもよい。また、本実施例では、ＬＥＤ点灯回路５００として絶縁型のフライバックコンバータを採用するが、ＬＥＤ点灯回路は非絶縁型の降圧チョッパ回路等からなっていてもよい。
【００２９】
図８を参照して、ＬＥＤ電源装置４の作製を説明する。まず、ケース本体部４００が押し出し加工される。ケース本体部４００は、大面部４１、中面部４２、大面部４４及び中面部４５からなり、開口端面４３０及び４６０が形成される。一方で、小面部４３及び４６が用意される。小面部４３には、挿通部４３１Ｕ及び４３２Ｕが加工された張出部４３１及び４３２、並びに配線引出し孔４３７及び４３８が形成されている。また、小面部４６には、挿通部４６１Ｕ及び４６２Ｕが加工された張出部４６１及び４６２が形成されている。次に、ＬＥＤ点灯回路５００が実装されるとともに各配線ケーブル（５１−５５）が結合された回路基板５０が大面部４１の内面に、例えば、絶縁シートを介して固定される。次に、小面部４６が開口端面４６０にネジ留め等により固定される。次に、樹脂充填材が開口端面４３０からケース本体部４００内部に注入される。そして、回路基板５０からの配線ケーブル（５１〜５５）が配線引出し孔４３７及び４３８から引き出されつつ、小面部４３が開口端面４３０にネジ留め等により固定される。
【００３０】
なお、各図に示すケース４０の最終的な形態が得られれば、加工方法及び組み立て方法は上記以外のものであってもよい。例えば、小面部４３及び４６の本体部４００への固定はネジ留めに限らず、嵌合部位の係合等、他の固定手段によるものであってもよい。また、張出部４３１及び４６１が大面部４１と同一の板部材からなり、張出部４３２及び４６２が中面部４２と同一の板部材からなるようにしてもよい。この場合、まず、張出部４３１−大面部４１−張出部４６１の両端部、張出部４３２−中面部４２−張出部４６２の両端部によってｘ軸方向の長さが決まる筒状のケース本体部が押し出し加工される。次に、ケース本体部の大面部４４及び中面部４５となる面のｘ軸方向の両端が除去されて大面部４４及び中面部４５が形成される。次に、回路基板５０が大面部４１の内面に、例えば絶縁シートを介して固定される。次に、（張出部を有さない）小面部４６が、大面部４４及び中面部４５の端部によって決まる位置に固定される。次に、樹脂充填材が開口端面からケース本体部４００内部に注入される。そして、回路基板５０からの配線ケーブルが配線引出し孔４３７及び４３８から引き出されつつ、（張出部を有さない）小面部４３が、大面部４４及び中面部４５の端部によって決まる位置に固定される。
【００３１】
以上に、単体のケース４０及びＬＥＤ電源装置４の構成について説明した。次に、ＬＥＤ電源装置４を２系統とした場合のケース４０の配置等について説明する。図９はケース４０が道路灯用照明器具１に用いられる場合の配置を、図１０はケース４０がトンネル灯用照明器具３に用いられる場合の配置を示す。なお、図９及び図１０においては、図の明瞭化のために、配線引出し孔４３７ａ、４３８ａ、４３７ｂ及び４３８ｂから引き出される配線は図示を省略してある。
【００３２】
図４及び図９（道路灯用照明器具１用の配置）を参照すると、ケース４０ａ及び４０ｂが、ケース４０ａの大面部４４ａとケース４０ｂの大面部４１ｂを向かい合わせた状態で、即ち、中面部４２ａ及び４２ｂが固定板４９に対向した状態で並置される。そして、挿通部４３２Ｕａ、４６２Ｕａ、４３２Ｕｂ及び４６２Ｕｂへの挿通部材２３ａ、２６ａ、２３ｂ及び２６ｂの挿通により（図１１参照）、張出部４３２ａ、４３２ｂ、４６２ａ及び４６２ｂが固定板４９に固定される。この構成によって、ケース４０ａ及び４０ｂのｙ軸方向がポール２０の断面直径方向に沿って配置される。
【００３３】
ポール２０内部の具体的な構成を図１１に示す。図１１の上図は図１のポール２０を線ｃ−ｃ´で切った断面図であり、下図は上図を線ｄ−ｄ´で切った正面図である。なお、図１１においても、図面の明瞭化のために、配線引出し孔４３７ａ、４３８ａ、４３７ｂ及び４３８ｂから引き出される配線は図示を省略してある。
【００３４】
ケース４０ａ及び４０ｂが固定された固定板４９が、ポール２０内の、例えばＬ字金具等の取り付け部２１に引っ掛けられて設置される。図１１の上図から分かるように、ケース４０ａ及び４０ｂは全体としてポール２０の直径付近を占有するように配置され、ポール２０内に２つのＬＥＤ電源装置が効率的に配置される。なお、本実施例では、ケース４０ａ及び４０ｂが並置固定された固定板４９がポール２０内に設置される構成を示したが、ケース４０ａ及び４０ｂがポール２０内の取り付け箇所に直接固定される構成等としてもよい。
【００３５】
図３及び図１０（トンネル灯用照明器具３用の配置）を参照すると、ケース４０ａ及び４０ｂが、ケース４０ａの中面部４２ａとケース４０ｂの中面部４５ｂを向かい合わせた状態で、即ち、大面部４１ａ及び４１ｂが固定面Ｐに対向した状態で（本実施例では当接した状態で）並置される。なお、実際には、固定面Ｐの表面は器具本体３０の天板内面３２（又は天板内面３２とケース４０の間に介在する取り付け部材）等になるため、大面部４１ａ及び４１ｂは大面部４４ａ及び４４ｂよりも鉛直上側に配置されることになる（即ち、図１０の配置を上下反転した配置となる）。
【００３６】
挿通部４３１Ｕａ、４６１Ｕａ、４３１Ｕｂ及び４６１Ｕｂへの挿通部材の挿通により、張出部４３１ａ、４６１ａ、４３１ｂ及び４６１ｂ（大面部４１ａ及び４１ｂ）が天板内面３２に対して固定される。この配置によって、ケース４０ａ及び４０ｂのｚ軸方向を器具本体３０の厚さ方向に配置して、ＬＥＤ電源装置４ａ及び４ｂを全体として低背に配置することができる。
【００３７】
以上に説明したように、本発明のケース４０及びＬＥＤ電源装置４によると、道路灯用照明器具及びトンネル灯用照明器具といった種々の屋外用照明器具に対して、ケースを標準化することができる。さらに、本発明の構成によると、上記の屋外用照明器具内に２以上のＬＥＤ電源装置を効率良く配置することが可能となり、多系統のＬＥＤモジュール基板を搭載する上記照明器具への適用性及び汎用性を高めることができる。なお、本発明の電源装置用ケース及びＬＥＤ電源装置は、道路灯用照明器具及びトンネル灯用照明器具だけでなく、街路灯用照明器具、表示灯用照明器具等の他の屋外用照明器具にも適用できる。
【００３８】
以上に本発明の好適な実施例を示したが、本発明の趣旨を逸脱しない範囲で、例えば以下のような種々の変形が可能である。
【００３９】
変形例１．
上記実施例では、張出部が小面部に設けられ、道路灯用照明器１では中面部が、トンネル灯用照明器具３では大面部が固定面に対向して設置される構成としたが、張出部を設ける面はこれに限られない。例えば、中面部に張出部を設け、道路灯用照明器具１では小面部が、トンネル灯用照明器具３では大面部が固定面Ｐに対向して配置される構成としてもよい。即ち、トンネル灯用照明器具３の器具本体３０内でＬＥＤ電源装置４を低背に配置するためには、大面部が固定面（天板内面３２）に当接されることが好ましいが、道路灯用照明器具１のポール２０の内径によっては、小面部が固定板４９に対向して（即ち、図１１の断面図において中面部がポール直径付近を占有するように）固定されるようにしてもよい。
【００４０】
図１２に本変形例による電源装置用ケース６０（以下、「ケース６０」という）を示す。本変形例のＬＥＤ電源装置４はケース６０及び上述の回路基板５０からなるものとする。図１２に示すように、図３と同様のｘ軸、ｙ軸及びｚ軸の定義において、ケース６０は、ｘ−ｙ平面を構成する大面部６１（第１の平面部）、大面部６１からｚ軸方向に垂直に屈曲した小面部６６（第２の平面部）、大面部６１及び小面部６６のｙ軸方向両端部（即ち、屈曲端部）に結合され互いに対向する中面部６２及び６５（第３及び第４の平面部）を有する。また、ケース６０は、大面部６１、小面部６６、中面部６２及び６５によって画定される空間を閉塞して閉空間を形成する大面部６４（閉塞面）及び小面部６３（閉塞面）を有する。本変形例では、大面部６４はｘ−ｙ平面を構成し、小面部６３はｙ−ｚ平面を構成する。従って、大面部６１及び６４、中面部６２及び６５並びに小面部６３及び６６は直方体の閉空間を形成する。なお、本変形例でも、図３に示す実施例と同様に、閉空間の寸法に関して、ｘ軸方向が最も長く、ｚ軸方向が最も短い。従って、ケース６０の閉空間の外形面積は、ｘ−ｙ平面視、ｘ−ｚ平面視及びｙ−ｚ平面視のうちｘ−ｙ平面視において最大となり、ｙ−ｚ平面視において最小となる。
【００４１】
中面部６２は隣接する二辺に張出部６２１及び６２６を有し、中面部６５は隣接する二辺に張出部６５１及び６５６を有する。張出部６２１及び６５１は、大面部６１と平行な平面、例えば同一平面を成し、大面部６１を挟んで互いに逆方向（ｙ軸方向）に張り出すように形成される。張出部６２６及び６５６は、小面部６６と平行な平面、例えば同一平面を成し、小面部６６を挟んで互いに逆方向（ｙ軸方向）に張り出すように形成される。
【００４２】
張出部６２１及び６２６には、挿通部材を挿入可能な挿通部６２１Ｕ及び６２６Ｕ（不図示）がそれぞれ形成され、張出部６５１及び６５６には、挿通部材を挿入可能な挿通部６５１Ｕ及び６５６Ｕがそれぞれ形成される。なお、本変形例でも、各挿通部はＵ字型の切りかけからなるものとするが、円形又は長円形の孔からなるようにしてもよい。
【００４３】
図１２に示すように、ケース６０は、挿通部６２１Ｕ及び６５１Ｕに挿通部材（ネジ、ビス等）を挿通して大面部６１を固定面（不図示）に対向させた状態で固定される。また、ケース６０は、挿通部６２６Ｕ及び６５６Ｕに挿通部材（ネジ、ビス等）を挿通して小面部６６を固定面に対向させた状態で固定することもできる。
【００４４】
閉空間内部から外部に配線ケーブルを引き出すための配線引出し孔は、中面部６２に配線引出し孔６２７及び６２８（実線）として設けられてもよいし、小面部６３に配線引出し孔６３７及び６３８（点線）として設けられてもよい。配線引出し孔６２７及び６２８が採用され、ケース６０がポール２０内に設置される場合、ケース６０は配線引出し孔６２７及び６２８は鉛直下方を向くように設置される。配線引出し孔６３７及び６３８が採用され、ケース６０がポール２０内に設置される場合、配線引出し孔６３７及び６３８は水平方向に向く。
【００４５】
なお、上記実施例と本変形例の境界となる事象として、ケース４０の大面部４４又はケース６０の大面部６４が実質的に正方形の場合、即ち、ケース内の閉空間のｘ軸方向の長さとｙ軸方向の長さが実質的に等しい場合は、実施例のケース４０と本変形例のケース６０とは実質的に同じ形態となる。このように閉空間のｘ軸方向の長さとｙ軸方向の長さが実質的に等しい場合も本発明に含まれる。
【００４６】
変形例２．
上記実施例では、ケース４０の閉空間が直方体であり、ｙ−ｚ断面が長方形となるように構成したが、ケース４０のｙ−ｚ断面形状はこれに限られない。例えば、図１３のｙ−ｚ断面図に示すように、大面部４４と中面部４５を結ぶ肩部分を傾斜面部４７によって形成するようにしてもよい。また、図１４のｙ−ｚ断面図に示すように、大面部４４と中面部４５を結ぶ肩部分を曲面部４８によって形成するようにしてもよい。肩部分を傾斜面部４７又は曲面部４８で構成することにより、ポール２０内又は本体部３０内における他の部材との干渉を回避し易くなり、ＬＥＤ電源装置４の配置の自由度が高まる。
【００４７】
特にトンネル灯用照明器具３においては、ケース４０ａ及び４０ｂの中面部４２ａ及び４２ｂが向かい合うように配置して、両傾斜部又は両曲面部がケース４０ａ及び４０ｂの外側に位置する配置とすることにより、ＬＥＤ電源装置４ａ及び４ｂの空間効率を高めることができる。但し、このような配置によると、配線引出し孔がｘ軸逆方向を向くことになることに留意する必要がある。
【符号の説明】
【００４８】
１  道路灯用照明器具
３  トンネル灯用照明器具
４  ＬＥＤ電源装置
１０  灯具部
１１  ＬＥＤモジュール基板
２０  ポール
２１  取り付け部
３０  器具本体
３１  ＬＥＤモジュール基板
３２  天板内面
４０  ケース（電源装置用ケース）
４１  大面部（第１の平面部）
４２  中面部（第２の平面部）
４３  小面部（第３の平面部）
４４  大面部（閉塞面）
４５  中面部（閉塞面）
４６  小面部（第４の平面部）
４７  傾斜面部（閉塞面）
４８  曲面部（閉塞面）
４９  固定板
５０  回路基板
６０  ケース（電源装置用ケース）
６１  大面部（第１の平面部）
６２  中面部（第３の平面部）
６３  小面部（閉塞面）
６４  大面部（閉塞面）
６５  中面部（第４の平面部）
６６  小面部（第２の平面部）
４３１、４３２、４６１、４６２  張出部
４３１Ｕ、４３２Ｕ、４６１Ｕ、４６２Ｕ  挿通部
４３７、４３８  配線引出し孔
５００  ＬＥＤ点灯回路
６２１、６２６、６５１、６５６  張出部
６２１Ｕ、６２６Ｕ、６５１Ｕ、６５６Ｕ  挿通部
６２７、６２８  配線引出し孔
【図１】
2014056648.tif 000003
【図２】
2014056648.tif 000004
【図３】
2014056648.tif 000005
【図４】
2014056648.tif 000006
【図５】
2014056648.tif 000007
【図６】
2014056648.tif 000008
【図７】
2014056648.tif 000009
【図８】
2014056648.tif 000010
【図９】
2014056648.tif 000011
【図１０】
2014056648.tif 000012
【図１１】
2014056648.tif 000013
【図１２】
2014056648.tif 000014
【図１３】
2014056648.tif 000015
【図１４】
2014056648.tif 000016
【図１５】
2014056648.tif 000017
【図１６】
2014056648.tif 000018